(57)【特許請求の範囲】
【請求項１】
外壁パネル本体の外表面の下屋を取付ける部位に、前記外壁パネル本体に取付けられたサイディングより突出して受材が設けられ、
前記受材は、前記下屋の基端部が接合される先端面を有しており、
前記外壁パネル本体の外表面に取付けられる下屋の雨押えが、前記受材の上面側に延出されていることを特徴とする外壁パネル。
【請求項２】
請求項１に記載の外壁パネルにおいて、前記外壁パネル本体の外表面に貼設された防水シートが、前記受材よりも延出されていることを特徴とする外壁パネル。
【請求項３】
外壁に対する下屋の接合構造であって、請求項１または２に記載の外壁パネルの受材に、下屋の基端部が接合されていることを特徴とする外壁に対する下屋の接合構造。
【請求項４】
外壁に対する下屋の接合構造であって、請求項２記載の外壁パネルの受材に、下屋の基端部が接合されるとともに、前記受材よりも延出されている防水シートと、前記下屋の上面側に貼設される防水シートとが互に重ね合わされて防水テープで貼り合わされていることを特徴とする外壁に対する下屋の接合構造。
【発明の詳細な説明】
【０００１】
【発明の属する技術分野】
本発明は、下屋取付け用の外壁パネルと、その外壁パネルによる外壁に対する下屋の接合構造に関するものである。
【０００２】
【背景の技術】
住宅の工業化に伴って、住宅の屋根や壁や床を予めパネルとして工場等で製造しておき、このようなパネルを建築現場において組み立てて行くことにより、住宅の施工を行うようにしたパネル工法が近年盛んとなっている。
そして、住宅の工業化をさらに進めるために、複数のパネルを予め工場で半完成状態にアッセンブルしておき（この半完成状態のものをサブアッシと称する）、このような複数のパネルのサブアッシ品を建築現場で組み立てて行って、現場での工期を一層短縮するようにした技術もさらに盛んになってきている。
さらに、工場等において、木質系の壁パネルの外表面に予めサイディングを取付けておき、建築現場で組み立てることにより、現場工期をより一層短縮する技術も行われている。
【０００３】
【発明が解決しようとする課題】
ところで、下屋の施工に際して、当該下屋を外壁に接合する場合、例えば、その外壁がサイディング付き壁パネルであると、予めサイディングに下屋取付け用の開口を形成しておかなければならない。
そして、壁パネルには防水シートが貼設されていることから、その防水シートにも予め開口を設けておいて、その開口から露出する壁パネル表面に下屋の基端部を直接取付ける必要がある。
しかし、そのようなサイディングの開口および防水シートの開口から壁パネル表面に対し下屋の基端部を位置決めして接合するのは容易ではなく、したがって、特に、サイディング付き壁パネルによる外壁に対する下屋の位置決め接合の容易化の実現が望まれていた。
【０００４】
本発明は上記事情に鑑みてなされたもので、外壁に対する下屋の位置決め接合が容易に行えて、特に、サイディング付き壁パネルによる外壁に対する下屋の位置決め接合の容易化を図ることができる外壁パネルを提供することを目的としている。
また、本発明は、そのような外壁パネルによる外壁に対する下屋の接合構造を提供することも目的としている。
【０００５】
【課題を解決するための手段】
上記目的を達成するために、本発明の請求項１の外壁パネルは、図１および図２に示すように、外壁パネル本体２の外表面の下屋７を取付ける部位に、前記外壁パネル本体２に取付けられたサイディング３より突出して受材４を設け、前記受材４は前記下屋７の基端部が接合される先端面を有し、前記外壁パネル本体２の外表面に取付けられる下屋７の雨押え１４を、前記受材４の上面側に延出させたものである。前記受材４は、例えば、木製の角材等で構成し、該受材４は外壁パネル本体２の表面に釘打ち等によって固定すればいい。
また、前記サイディング３を外壁パネル本体２に取付ける場合、外壁パネル本体２の外表面に防水シート（透湿防水シート）５を貼設したうえで、胴縁９を釘打ち等によって固定し、この胴縁９にサイディング３を固定する。
さらに、前記雨押え１４は、例えば、板金によって構成されており、該雨押え１４の基端部は外壁パネル本体２の表面に防水シート６の上から固定され、さらにこの雨押え１４は、途中で外側に折曲されてその先端部が前記受材４の上面側に延出されている。そして、この雨押え１４と前記受材４との間には所定の隙間１３が設けられ、この隙間１３に下屋７の屋根材１６の一部が挿入されるようになっている。また、前記雨押え１４と受材４との間に所定の隙間１３を設けるには、該受材４の上面に受桟１０を設け、この受桟１０の上面に雨押え受材１２を、該受桟１０より外側に突出させて設け、該雨押え受材１２の上面に、前記雨押え１４を延出させることにより行う。
【０００６】
請求項１の外壁パネルにあっては、受材４がサイディング３より突出しているので、サイディング３の外側において、前記受材４に、下屋７の基端部を接合することにより、サイディング付き外壁パネル１による外壁に対する下屋７の位置決めを正確に行いながら、該下屋７の接合を容易に行うことができる。また、下屋７の雨押え１４が、受材４の上面側に延出しているので、該受材４に接合される下屋７とサイディング付きの外壁パネル１との間の防水処理を容易かつ確実に行うことができる。
【００１１】
請求項２の外壁パネル１は、請求項１において、前記外壁パネル本体２の外表面に貼設された防水シート６を、前記受材４よりも延出させたものである。前記防水シート６を受材４よりも延出させるには、外壁パネル本体２の外表面に貼設される防水シート６の下部を、受材４と外壁パネル本体２との接合部から外側に折り曲げ、その部分を受材４の先端から突出させることにより行う。
【００１２】
請求項２の外壁パネル１にあっては、図３に示すように、防水シート６が受材４よりも延出しているので、該防水シート６と、下屋７の上面側に貼設されている防水シート１５とを重ね合わせて、これらを防水テープ１８で貼り合わせることにより、防水処理を容易に行うことができる。
【００１３】
請求項３の外壁に対する下屋の接合構造は、図３に示すように、請求項１または２に記載の外壁パネル１の受材４に、下屋７の基端部を接合したものである。前記受材４に下屋７の基端部を接合するには、該受材４の先端面に下屋７の基端面を当接し、これらを釘打ち等によって接合すればよい。
【００１４】
請求項３の外壁に対する下屋の接合構造にあっては、前記受材４に、下屋７の基端部を接合しているので、外壁に対する下屋７の位置決めを正確に行いながら、該下屋７の接合を容易に行うことができる。特に、サイディング３の外側において、突出した受材４に下屋７の基端部を接合することによって、サイディング付き外壁パネル１による外壁に対する下屋７の位置決めを行いながら、該下屋７の接合を容易に行うことができる。また、下屋７の雨押え１４を、受材４の上面側に延出させることにより、該受材４に接合される下屋７とサイディング付きの外壁パネル１との間の防水処理を容易かつ確実に行うことができる。さらに、防水シート６を受材４よりも延出させることにより、下屋７の上面側に貼設されている防水シート１５との重ね合わせが行えて、防水処理を容易に行うことができる。
【００１５】
請求項４の外壁に対する下屋の接合構造は、請求項２記載の外壁パネル１の受材４に、下屋７の基端部を接合するとともに、前記受材４よりも延出されている防水シート６と、前記下屋７の上面側に貼設される防水シート１５とを互に重ね合わせて防水テープ１８で貼り合わせたものである。
【００１６】
請求項４の外壁に対する下屋の接続構造にあっては、サイディング３の外側において、突出した受材４に下屋７の基端部を接合することによって、サイディング付き外壁パネル１による外壁に対する下屋７の位置決めを行いながら該下屋７の接合を容易に行うことができる。また、下屋７の雨押え１４を、受材４の上面側に延出させることにより、該受材４に接合される下屋７とサイディング付きの外壁パネル１との間の防水処理を容易かつ確実に行うことができる。さらに、外壁パネル１の上面側に貼設されて受材４よりも延出している防水シート６と、下屋７の上面側に貼設されている防水シート１５とを、互に重ね合わせて防水テープ１８で貼り合わせているので、防水処理を容易かつ確実に行うことができる。
【００１７】
【発明の実施の形態】
以下、図面を参照して本発明の外壁パネルおよび外壁に対する下屋の接合構造の実施の形態の一例を説明する。
図１は本発明の外壁パネルの一例を示す側断面図、図２は同外壁パネルの要部を破断して示す概略斜視図、図３は、外壁に対する下屋の流れ側の接合構造の一例を示す側断面図である。
これらの図において、符号１は外壁パネルを示す。この外壁パネル１は、工場等で組み立てられるもので、外壁パネル本体２と、この外壁パネル本体２の外表面に貼設されたサイディング３と、前記外壁パネル本体２の外表面に設けられた受材４とを主体として構成されている。
【００１８】
前記外壁パネル本体２は、桟材を枠状に組み付け、その内側に補強桟材を縦横に組み付けられてなる枠体２ａの表裏面に合板等の面材２ｂ，２ｂを貼設したものであり、その表面側の面材２ｂには透湿防水シート５が貼設されている。この透湿防水シート５上には、その下部に耐水シート（防水シート）６が重ねられて貼設されており、該耐水シート６は、前記受材４よりも延出されている。
前記耐水シート６を受材４よりも延出させるには、耐水シート６の下部を、受材６と外壁パネル本体２との接合部から外側に折り曲げ、その部分を受材４の先端から突出させることにより行う。
【００１９】
前記受材４は下屋７の基端部を接合するもので、木製の角材で構成されている。そして、該受材４は、その基端面を前記下屋７を取付ける部位に当接し、釘８を外壁パネル１に打ち込むことによって固定されている。
また、受材４は前記サイディング３より突出して設けられている、つまり、受材４の先端面がサイディング３より前方に位置している。なお、このサイディング３は、外壁パネル本体２の外表面に前記透湿防水シート５上から胴縁９を固定し、該胴縁９に釘打ち等によって取付けられている。
【００２０】
また、前記受材４の上面には、前記耐水シート６の上から受桟１０が固定されている。一方、前記外壁パネル本体２の外表面には、捨て板金１１が前記耐水シート６の上から取付けられている。そして、該捨て板金１１の下部は前記受桟１０と外壁パネル１の接合部から外側に折り曲げられ、その部分が前記受桟１０の上面を覆うようにして設けられている。
【００２１】
さらに、前記受桟１０の上面には、雨押え受材１２が前記捨て板金１１の上から取付けられている。この雨押え受材１２は、前記受桟１０より前方に突出しており、これによって、前記雨押え受材１２と前記受材４との間には隙間１３が設けられている。一方、前記外壁パネル本体２の外表面には、雨押え１４が前記捨て板金１１の上から取付けられている。この雨押え１４は板金によって構成されたもので、該雨押え１４の下部は雨押え受材１２と外壁パネル本体２との接合部から外側に折り曲げられて、前記受材４の上面側に延出されて、その部分が前記受桟１０の上面を覆うようにして設けられている。
【００２２】
以上の構成の外壁パネル１は上述したように工場によって組み立てれて、建築現場に搬送されて、図示しない他の外壁パネルと接合される。そして、前記外壁パネル１に下屋７を接合するには、以下のようにして行う。
ここで、前記下屋７は、下屋パネル７ａの上面に耐水シート（防水シート）１５を貼設し、この耐水シート１５上に屋根材１６を敷設したものであり、該屋根材１６は工場等で敷設しておいてもよいし、建築現場で敷設してもよい。工場等で敷設しておく場合、前記受材４との接合部近傍には屋根材１６を敷設しないでおく。
【００２３】
さて、前記外壁パネル１に下屋７を接合する場合、当該下屋７の基端面を、前記外壁パネル１の受材４の先端面に当接し、下屋７の基端部側の桟材７ｂから受材４に釘１７を打ち込むことによって接合する。なお、この接合面は接着剤によっても接合する。
【００２４】
そして、防水処理を行う。
すなわち、前記受材４よりも延出している耐水シート６の下側に、下屋７の上面側に貼設されている耐水シート１５を挿入することにより、これら耐水シート６，１５を互に重ね合わせ、これらを防水テープ１８で貼り合わす。
このようにして防水処理を行った後、雨押え受材１２と受材４との間の隙間１３に屋根材１６を挿入して下屋７の施工を終了する。
【００２５】
上記下屋７の接合構造は、下屋７の流れ側の接合構造を示しているが、下屋７の桁側の接合構造も流れ側とほぼ同様である。
すなわち、図４に示すように、下屋の桁側においては、前記受材４が下屋７の傾斜に沿って、斜め下方に向けて外壁パネル本体２に取付けられている。そして、この受材４と平行に前記受桟１０および雨押え受材１２が外壁パネル本体２に取付けられ、これら受桟１０および雨押え受材１２を覆うようにして、捨て板金１１および雨押え１４が設けられている。
そして、前記受材４に下屋７の基端部が前記流れ側と同様にして、接合されるようになっている。
【００２６】
以上の通り、本発明による外壁パネル１を用いた外壁に対する下屋７の接合構造によれば、以下に列挙する効果が得られる。
（１）外壁パネル１のサイディング３よりも突出した受材４の先端面に、下屋７の基端面を接合して一体化するため、サイディング３付きの外壁パネル１による外壁に対し、受材４の存在により正確に位置決めしながら下屋７を接合することができる。
（２）外壁パネル本体２に貼設され、受材４よりも延出した耐水シート６と、下屋７の上面側に貼設された耐水シート１５とを、互に重ね合わせ防水テープ１８で貼り合わせるので、容易かつ確実に防水処理を施すことができる。
（３）下屋７の雨押え１４が、受材４の上面側に延出しているので、該受材４に接合される下屋７とサイディング付きの外壁パネル１との間の防水処理を容易かつ確実に行うことができる。
【００２７】
なお、上記の実施の形態例では、工場等でサイディング３が取付けられたサイディング付きの外壁パネル１に下屋７を接合する場合について述べたが、本発明はこれに限ることなく、現場でサイディング３を取付けるものにも適用できる。この場合、下屋７の位置決め接合が容易かつ確実になるとともに、現場でサイディング３を取付けた後でも下屋の接合を行うことができる。
【００２８】
【発明の効果】
以上説明したように、本発明の請求項１の外壁パネルは、外壁パネル本体の外表面の下屋を取付ける部位に、前記外壁パネル本体に取付けられたサイディングより突出して受材を設けたものであるから、サイディングの外側において、該受材に、下屋の基端部を接合することにより、サイディング付き外壁パネルによる外壁に対する下屋の位置決めを正確に行いながら、該下屋の接合を容易に行うことができる。また、前記外壁パネル本体の外表面に取付けられる下屋の雨押えを、前記受材の上面側に延出したものであるから、該受材に接合される下屋とサイディング付きの外壁パネルとの間の防水処理を容易かつ確実に行うことができる。
【００３１】
請求項２の外壁パネルは、請求項１において、前記外壁パネル本体の外表面に貼設された防水シートを、前記受材よりも延出させたものであるから、該防水シートと、下屋の上面側に貼設されている防水シートとを重ね合わせて、これらを防水テープで貼り合わせることにより、防水処理を容易に行うことができる。
【００３２】
請求項３の外壁に対する下屋の接合構造は、請求項１または２に記載の外壁パネルの受材に、下屋の基端部を接合したものであるから、外壁に対する下屋の位置決めを正確に行いながら、該下屋の接合を容易に行うことができる。特に、サイディングの外側において、突出した受材に下屋の基端部を接合することによって、サイディング付き外壁パネルユニットによる外壁に対する下屋の位置決めを行いながら該下屋の接合を容易に行うことができる。また、下屋の雨押えを、受材の上面側に延出させることにより、該受材に接合される下屋とサイディング付きの外壁パネルとの間の防水処理を容易かつ確実に行うことができ、さらに、防水シートを受材よりも延出させることにより、下屋の上面側に貼設されている防水シートとの重ね合わせが行えて、防水処理を容易に行うことができる。
【００３３】
請求項４の外壁に対する下屋の接合構造は、請求項２記載の外壁パネルの受材に、下屋の基端部を接合するとともに、前記受材よりも延出されている防水シートと、前記下屋の上面側に貼設される防水シートとを互に重ね合わせて防水テープで貼り合わせたものであるから、サイディング付き外壁パネルによる外壁に対する下屋の位置決めを行いながら該下屋の接合を容易に行うことができるとともに、防水処理を容易かつ確実に行うことができる。また、下屋の雨押えを、受材の上面側に延出させることにより、該受材に接合される下屋とサイディング付きの外壁パネルとの間の防水処理を容易かつ確実に行うことができる。
【図面の簡単な説明】
【図１】本発明の外壁パネルの実施の形態の一例を示すもので、外壁パネルの側断面図である。
【図２】同、外壁パネルの要部を破断して示す概略斜視図である。
【図３】本発明の外壁に対する下屋の接合構造の実施の形態の一例を示すもので、外壁に対する下屋の流れ側の接合構造を示す側断面図である。
【図４】同、外壁に対する下屋の桁側の接合構造を示す側断面図である。
【符号の説明】
１  外壁パネル
２  外壁パネル本体
３  サイディング
４  受材
６  耐水シート（防水シート）
７  下屋
１４  雨押え
１５  耐水シート（防水シート）
１８  防水テープ
【図１】
0003699516.tif 000002
【図２】
0003699516.tif 000003
【図３】
0003699516.tif 000004
【図４】
0003699516.tif 000005